【手続補正書】
【提出日】平成15年11月5日(2003.11.5)
【手続補正１】
【補正対象書類名】明細書
【補正対象項目名】特許請求の範囲
【補正方法】変更
【補正の内容】
【特許請求の範囲】
【請求項１】
嫌気部、好気部及び沈殿部を有する処理槽と、鉄材またはアルミニウムからなり電流を印加して鉄イオンまたはアルミニウムイオンを溶出する電極とを備え、汚水より上方の空気を排気する排気手段を設けると共に、前記電極に印加される総電流値を検出し、検出した総電流値に応じて前記排気手段の排気量を設定する手段を設けたことを特徴とする汚水処理装置。
【請求項２】
嫌気部、好気部及び沈殿部を有する処理槽と、鉄材またはアルミニウムからなり電流を印加して鉄イオンまたはアルミニウムイオンを溶出する電極とを備え、汚水より上方の空気を排気する排気手段を設けると共に、前記電極に印加される総電流値を検出し、検出した総電流値に基づいて前記排気手段の排気量を制御する制御手段を設けたことを特徴とする汚水処理装置。
【請求項３】
嫌気部、好気部及び沈殿部を有する処理槽と、鉄材またはアルミニウムからなり電流を印加して鉄イオンまたはアルミニウムイオンを溶出する電極とを備え、汚水より上方の空気を排気する排気手段を設けると共に、前記電極に印加される総電流値を検出し、検出した総電流値に基づいて次の数式Ａで示される空気を排気手段によって排気する制御手段を設けたことを特徴とする汚水処理装置。
【数１】
1998263550.tif 000001
Ａ：リットル／分
Ｂ：電極に印加される電流値（アンペア）
【請求項４】
嫌気部、好気部及び沈殿部を有する処理槽と、鉄材またはアルミニウムからなり電流を印加して鉄イオンまたはアルミニウムイオンを溶出する電極とを備え、汚水より上方の空間に空気を供給する送風手段を設けると共に、前記電極に印加される総電流値を検出し、検出した総電流値に応じて前記送風手段の送風量を設定する手段を設けたことを特徴とする汚水処理装置。
【請求項５】
嫌気部、好気部及び沈殿部を有する処理槽と、鉄材またはアルミニウムからなり電流を印加して鉄イオンまたはアルミニウムイオンを溶出する電極とを備え、汚水より上方の空間に空気を供給する送風手段を設けると共に、前記電極に印加される総電流値を検出し、検出した総電流値に基づいて前記送風手段の送風量を制御する制御手段
を設けたことを特徴とする汚水処理装置。
【請求項６】
嫌気部、好気部及び沈殿部を有する処理槽と、鉄材またはアルミニウムからなり電流を印加して鉄イオンまたはアルミニウムイオンを溶出する電極とを備え、汚水より上方の空間に空気を供給する送風手段を設けると共に、前記電極に印加される総電流値を検出し、検出した総電流値に基づいて次の数式Ａで示される空気を前記送風手段によって供給する制御手段を設けたことを特徴とする汚水処理装置。
【数２】
1998263550.tif 000002
Ａ：リットル／分
Ｂ：電極に印加される電流値（アンペア）
【請求項７】
前記電極に直流定電流を印加したことを特徴とする請求項１乃至請求項６記載の汚水処理装置。
【請求項８】
前記電極に所定時間毎に極性を転換する直流定電流を印加したことを特徴とする請求項１乃至請求項６記載の汚水処理装置。
【請求項９】
前記電極に所定時間毎にパルス状に印加電流が増大する直流電流を印加した請求項１乃至請求項６記載の汚水処理装置。
【請求項１０】
前記電極に所定時間毎に極性を転換すると共にパルス状に印加電流が増大する直流電流を印加したことを特徴とする請求項１乃至請求項６記載の汚水処理装置。
【手続補正２】
【補正対象書類名】明細書
【補正対象項目名】０００５
【補正方法】変更
【補正の内容】
【０００５】
【課題を解決するための手段】
上記課題を解決するための第１の手段は、嫌気部、好気部及び沈殿部を有する処理槽と、鉄材またはアルミニウムからなり電流を印加して鉄イオンまたはアルミニウムイオンを溶出する電極とを備え、汚水より上方の空気を排気する排気手段を設けると共に、前記電極に印加される総電流値を検出し、検出した総電流値に応じて前記排気手段の排気量を設定する手段を設けたことを特徴とする。


【手続補正３】
【補正対象書類名】明細書
【補正対象項目名】０００６
【補正方法】変更
【補正の内容】
【０００６】
上記課題を解決するための第２の手段は、嫌気部、好気部及び沈殿部を有する処理槽と、鉄材またはアルミニウムからなり電流を印加して鉄イオンまたはアルミニウムイオンを溶出する電極とを備え、汚水より上方の空気を排気する排気手段を設けると共に、前記電極に印加される総電流値を検出し、検出した総電流値に基づいて前記排気手段の排気量を制御する制御手段を設けたことを特徴とする。


【手続補正４】
【補正対象書類名】明細書
【補正対象項目名】０００７
【補正方法】変更
【補正の内容】
【０００７】
上記課題を解決するための第３の手段は、嫌気部、好気部及び沈殿部を有する処理槽と、鉄材またはアルミニウムからなり電流を印加して鉄イオンまたはアルミニウムイオンを
溶出する電極とを備え、汚水より上方の空気を排気する排気手段を設けると共に、前記電極に印加される総電流値を検出し、検出した総電流値に基づいて次の数式Ａで示される空気を排気手段によって排気する制御手段を設けたことを特徴とする。


【手続補正５】
【補正対象書類名】明細書
【補正対象項目名】０００９
【補正方法】変更
【補正の内容】
【０００９】
上記課題を解決するための第４の手段は、嫌気部、好気部及び沈殿部を有する処理槽と、鉄材またはアルミニウムからなり電流を印加して鉄イオンまたはアルミニウムイオンを溶出する電極とを備え、汚水より上方の空間に空気を供給する送風手段を設けると共に、前記電極に印加される総電流値を検出し、検出した総電流値に応じて前記送風手段の送風量を設定する手段を設けたことを特徴とする。


【手続補正６】
【補正対象書類名】明細書
【補正対象項目名】００１０
【補正方法】変更
【補正の内容】
【００１０】
上記課題を解決するための第５の手段は、嫌気部、好気部及び沈殿部を有する処理槽と、鉄材またはアルミニウムからなり電流を印加して鉄イオンまたはアルミニウムイオンを溶出する電極とを備え、汚水より上方の空間に空気を供給する送風手段を設けると共に、前記電極に印加される総電流値を検出し、検出した総電流値に基づいて前記送風手段の送風量を制御する制御手段を設けたことを特徴とする。


【手続補正７】
【補正対象書類名】明細書
【補正対象項目名】００１１
【補正方法】変更
【補正の内容】
【００１１】
上記課題を解決するための第６の手段は、嫌気部、好気部及び沈殿部を有する処理槽と、鉄材またはアルミニウムからなり電流を印加して鉄イオンまたはアルミニウムイオンを溶出する電極とを備え、汚水より上方の空間に空気を供給する送風手段を設けると共に、前記電極に印加される総電流値を検出し、検出した総電流値に基づいて次の数式Ａで示される空気を前記送風手段によって供給する制御手段を設けたことを特徴とする。


【手続補正８】
【補正対象書類名】明細書
【補正対象項目名】００７１
【補正方法】変更
【補正の内容】
【００７１】
【発明の効果】
本発明の請求項１の構成によると、電極の電解により発生した水素ガスを排出することができ、メンテナンス時等の爆発を防止し、信頼性を向上することができる等の効果を奏する。


【手続補正９】
【補正対象書類名】明細書
【補正対象項目名】００７２
【補正方法】変更
【補正の内容】
【００７２】
本発明の請求項２の構成によると、電極の電解により発生した水素ガスを排出することができ、メンテナンス時等の爆発を防止し、信頼性を向上することができる等の効果を奏する。


【手続補正１０】
【補正対象書類名】明細書
【補正対象項目名】００７３
【補正方法】変更
【補正の内容】
【００７３】
本発明の請求項３の構成によると、電極の電解により発生した水素ガスを排出することができ、メンテナンス時等の爆発を防止し、信頼性を向上することができる等の効果を奏する。


【手続補正１１】
【補正対象書類名】明細書
【補正対象項目名】００７４
【補正方法】変更
【補正の内容】
【００７４】
本発明の請求項４の構成によると、電極の電解により発生した水素ガスを希釈することができ、メンテナンス時等の爆発を防止し、信頼性を向上することができる等の効果を奏する。


【手続補正１２】
【補正対象書類名】明細書
【補正対象項目名】００７５
【補正方法】変更
【補正の内容】
【００７５】
本発明の請求項５の構成によると、電極の電解により発生した水素ガスを希釈することができ、メンテナンス時等の爆発を防止し、信頼性を向上することができる等の効果を奏する。


【手続補正１３】
【補正対象書類名】明細書
【補正対象項目名】００７５
【補正方法】変更
【補正の内容】
【００７５】
本発明の請求項６の構成によると、電極の電解により発生した水素ガスを希釈することができ、メンテナンス時等の爆発を防止し、信頼性を向上することができる等の効果を奏する。